(57)【要約】【課題】本発明は、簡素化、省材料と高い成績係数を図れる三重効用吸収式冷熱発生・出力装置を提供することを目的とする。【解決手段】本発明による三重効用吸収式冷熱発生・出力装置は、特に低、中温再生器(1,2)に流下液膜式再生器を適用し、冷熱出力に揮発性二次冷媒冷熱出力用蒸発器と空調器を適用するようにした構成である。【選択図】図５
2007298240.tif 000002
【特許請求の範囲】
【請求項１】
吸収液の再生が低温再生器(1)、中温再生器(2)と高温再生器(3)によりなされ、前記高温再生器(3)からの発生冷媒蒸気(3c)を前記中温再生器(2)での吸収液再生に、前記中温再生器(2)からの発生冷媒蒸気(2c)を低温再生器(1)での吸収液再生に各々用い、冷熱出力に前記低温再生器(1)に接続された胴体(20)内の揮発性二次冷媒冷熱出力用蒸発器(4)を用い、前記胴体(20)内の凝縮器(11)からの冷媒液(11a)を前記蒸発器(4)に供給し、冷媒液ポンプ(4a)により前記蒸発器(4)底部の冷媒液貯室(4d)内の冷媒液を循環させて前記蒸発器(4)伝熱管の外壁面に散布し、前記冷媒液の蒸発吸熱による発生冷熱により、前記蒸発器(4)伝熱管内の揮発性二次冷媒蒸気(12)を凝縮させ、また前記蒸発器(4)を出た揮発性二次冷媒液(12a)を冷媒レシーバー(13)に流入させ、いったん溜めてから揮発性二次冷媒ポンプ(4b)により揮発性二次冷媒／空気熱交換器（以下、空調機と称す）(15)に送り、そこで前記揮発性二次冷媒液(12a)の蒸発吸熱により送風される空調用空気を冷やして冷熱出力がなされ、前記揮発性二次冷媒液(12a)には、代替フロン系冷媒またはＨＦＥ系冷媒または炭化水素系冷媒またはアンモニアまたは二酸化炭素等を適用することを特徴とする三重効用吸収式冷熱発生・出力装置。
【請求項２】
前記胴体(20)内の吸収器(5)から希吸収液(5a)を希吸収液ポンプ(5b)により送り、低温溶液熱交換器(7)において、前記高温再生器(3)から送られ、高温溶液熱交換器(9)と中温溶液熱交換器(8)を経てきた再生済吸収液(10)と熱交換させた後、前記低温再生器(1)に供給して再生し、前記低温再生器(1)からのワンステップ再生後吸収液(1a)を吸収液ポンプ(1b)により送り、前記中温溶液熱交換器(8)において前記高温再生器(3)から送られ、前記高温溶液熱交換器(9)を経てきた再生済吸収液(10)と熱交換をさせた後、前記中温再生器(2)に供給して再生し、前記中温再生器(2)からのワンステップ再生後吸収液(2a)を吸収液ポンプ(2b)により送り、前記高温溶液熱交換器(9)において前記高温再生器(3)からの再生済吸収液(10)と熱交換をさせた後、前記高温再生器(3)に供給して再生し、
前記高温再生器(3)からの発生冷媒蒸気(3c)を前記中温再生器(2)に供給してそこでの吸収液再生用熱源として使用し、前記中温再生器(2)からの発生冷媒蒸気(2c)を前記低温再生器(1)に供給してそこでの吸収液再生用熱源として使用し、前記低温再生器(1)からの発生冷媒蒸気(1c)を前記凝縮器(11)にフラッシュさせ、そこで冷却水により冷媒液に凝縮させ、
前記中温再生器(2)と、前記低温再生器(1)において吸収液を冷媒蒸気により加熱して生じたそれぞれの冷媒凝縮液(2d,1d)を要再生吸収液と熱交換させ、熱回収がなされるかあるいは直接に凝縮器(11)にフラッシュさせ、そこで冷却水(6)により発生冷媒蒸気を凝縮させ、
前記凝縮器(11)からの冷媒凝縮液(11a)をＵ字管(11c)を通じて前記揮発性二次冷媒冷熱出力用蒸発器(4)に供給し、前記冷媒液ポンプ(4a)により前記揮発性二次冷媒冷熱出力用蒸発器(4)底部の冷媒液貯室(4d)内の冷媒液を循環させて前記蒸発器(4)伝熱管の外壁面に散布し、その蒸発吸熱による冷熱発生により前記揮発性二次冷媒冷熱出力用蒸発器(4)伝熱管内の揮発性二次冷媒蒸気(12)を凝縮させ、前記揮発性二次冷媒液(12a)を圧力差により前記冷媒レシーバー(13)に流入させ、いったん溜めてから、揮発性二次冷媒ポンプ(4b)により前記空調機(15)に送り、そこで送風される空調用空気を冷やして冷熱出力がなされ、
循環吸収液ポンプ(5d)により前記吸収器(5)底部の希吸収液貯室(5e)内の循環希吸収液(5j)を循環させ、前記低温溶液熱交換器(7)からの再生済吸収液(10)と共に前記吸収器(5)伝熱管外壁面に散布して流下させながら、前記揮発性二次冷媒冷熱出力用蒸発器(4)からの発生冷媒蒸気を吸収させ、その際の吸収熱を前記吸収器(5)伝熱管内に流される冷却水(6)により除去することを特徴とする請求項１記載の三重効用吸収式冷熱発生・出力装置。
【請求項３】
前記高温再生器(3)として燃料ガスや燃料油直だき再生器を用い、前記中温再生器(2)と低温再生器(1)では、少なくとも一方に流下液膜式再生凝縮器(100)を用いることを特徴とする請求項１又は２記載の三重効用吸収式冷熱発生・出力装置。
【請求項４】
前記高温再生器(3)の吸収液再生用熱源にボイラからの高温水蒸気(16)を用い、高温再生器(3)、中温再生器(2)、低温再生器(1)の少なくとも１つに流下液膜式再生凝縮器(100)を用いることを特徴とする請求項１又は２記載の三重効用吸収式冷熱発生・出力装置。
【請求項５】
前記高温再生器(3)に燃料ガスや燃料油直だき再生器を用い、前記中温再生器(2)と低温再生器(1)にはプール加熱方式再生器を用いることを特徴とする請求項１又は２記載の三重効用吸収式冷熱発生・出力装置。
【請求項６】
前記高温再生器(3)の吸収液再生用熱源にボイラからの高温水蒸気(16)を用い、前記高温再生器(3)、中温再生器(2)、低温再生器(1)にはプール加熱方式再生器を用いることを特徴とする請求項１又は２記載の三重効用吸収式冷熱発生・出力装置。
【請求項７】
前記凝縮器(11)、蒸発器(4)及び吸収器(5)を前記胴体(20)内に収納し、前記凝縮器を前記胴体(20)内の上部に設置し、前記蒸発器(4)と吸収器(5)をそれぞれ前記凝縮器(11)の下部両側に設置することを特徴とする請求項１ないし６の何れかに記載の三重効用吸収式冷熱発生・出力装置。
【請求項８】
前記高温再生器(3)、中温再生器(2)、低温再生器(1)の少なくとも１つに流下液膜式再生凝縮器(100)を適用する再生フローでは、揮発性二次冷媒冷熱出力方式に代わって、二段蒸発二段吸収循環冷水冷熱出力方式を用いることを特徴とする請求項１ないし７の何れかに記載の三重効用吸収式冷熱発生・出力装置。
【請求項９】
前記中温再生器(2)からの冷媒凝縮液(2d)を、第２吸収液／冷媒液熱交換器(2f)において前記低温再生器(1)から送られ、前記中温溶液熱交換器(8)を出たワンステップ再生後吸収液(1a)と熱交換させた後、前記低温再生器(1)からの冷媒凝縮液に合流させた合流冷媒凝縮液を、第１吸収液／冷媒液熱交換器(1f)において前記吸収器(5)から送られ、前記低温溶液熱交換器(7)を出た希吸収液(5a)と熱交換させてから前記凝縮器(11)に導入し、前記第１吸収液／冷媒液熱交換器(1f)を出た希吸収液(5a)を前記低温再生器(1)に、前記第２吸収液／冷媒液熱交換器(2f)を出たワンステップ再生後吸収液(1a)を前記中温再生器(2)に供給して再生することを特徴とする請求項１ないし８の何れかに記載の三重効用吸収式冷熱発生・出力装置。
【請求項１０】
前記希吸収液ポンプ(5b)により送られる希吸収液(5a)を主流吸収液(5g)と支流吸収液(5f)に分流し、主流希吸収液(5g)を低温溶液熱交換器(7)において前記高温再生器(3)から送られ、高温溶液熱交換器(9)と中温溶液熱交換器(8)を経てきた再生済吸収液(10)により予熱し、支流希吸収液(5f)を第１吸収液／冷媒液熱交換器(1f)において前記低温再生器(1)からの冷媒凝縮液(1d)と前記中温再生器(2)から送られ、第２吸収液／冷媒液熱交換器(2f)を経てきた冷媒凝縮液との合流冷媒凝縮液により予熱し、前記第１吸収液／冷媒液熱交換器(1f)を出た支流希吸収液(5f)を前記低温溶液熱交換器(7)を出た主流希吸収液(5g)に合流させ、この合流希吸収液を前記低温再生器(1)に供給して再生し、
前記低温再生器(1)からのワンステップ再生後吸収液(1a)を主流ワンステップ再生後吸収液(8g)と支流ワンステップ再生後吸収液(8f)に分流し、前記主流ワンステップ再生後吸収液(8g)を前記中温溶液熱交換器(8)において前記高温再生器(3)から送られて前記高温溶液熱交換器(9)を出た再生済吸収液(10)により予熱し、前記支流ワンステップ再生後吸収液(8f)を前記第２吸収液／冷媒液熱交換器(2f)において前記中温再生器(2)からの冷媒凝縮液(2d)と熱交換させて熱回収がなされてから、前記中温溶液熱交換器(8)を出た主流ワンステップ再生後吸収液(8g)に合流させた合流吸収液を前記中温再生器(2)に供給して再生し、
また前記第１吸収液／冷媒液熱交換器(1f)を出た冷媒凝縮液を前記凝縮器(11)に導入し、この様にして冷媒凝縮液から熱回収がなされることを特徴とする請求項１ないし８の何れかに記載の三重効用吸収式冷熱発生・出力装置。
【請求項１１】
前記中温再生器(2)からの冷媒凝縮液(2d)を低温再生器(1)からの冷媒凝縮液(1d)に合流させた合流冷媒液を第１吸収液／冷媒液熱交換器(1f)において前記吸収器(5)から送られ、前記低温溶液熱交換器(7)を出た希吸収液(5a)と熱交換させて熱回収がなされ、前記第１吸収液／冷媒液熱交換器(1f)を出た冷媒凝縮液を凝縮器(11)に導入し、また前記第１吸収液／冷媒液熱交換器(1f)を出た希吸収液(5a)を前記低温再生器(1)に供給して再生し、このようにして冷媒凝縮液から熱回収がなされることを特徴とする請求項１ないし８の何れかに記載の三重効用吸収式冷熱発生・出力装置。
【請求項１２】
前記中温再生器(2)からの冷媒凝縮液(2d)を低温再生器(1)からの冷媒凝縮液(1d)に合流させ、また前記吸収器(5)からの希吸収液(5a)を主流希吸収液(5g)と支流希吸収液(5f)に分流させ、前記主流希吸収液(5g)を、低温溶液熱交換器(7)において高温再生器(3)から送られ、高温溶液熱交換器(9)と中温溶液熱交換器(8)を経てきた再生済吸収液(10)と熱交換させ、前記支流希吸収液(5f)を、第１吸収液／冷媒液熱交換器(1f)において前記合流冷媒凝縮液と熱交換させてから前記主流希吸収液(5g)に合流させた合流希吸収液を前記低温再生器(1)に供給して再生し、前記第１吸収液／冷媒液熱交換器(1f)を出た合流凝縮液を前記凝縮器(11)に導入し、この様にして前記冷媒凝縮液から熱回収がなされることを特徴とする請求項１ないし８の何れかに記載の三重効用吸収式冷熱発生・出力装置。
【請求項１３】
前記低、中、高温再生器(1,2,3)の少なくとも１つに流下液膜式再生凝縮器(100)を用い、冷熱出力に二段吸収二段蒸発循環冷水冷熱出力方式を用いることを特徴とする請求項１ないし１２の何れかに記載の三重効用吸収式冷熱発生・出力装置。
【発明の詳細な説明】
【技術分野】
【０００１】
本発明は、三重効用吸収式冷熱発生・出力装置に関し、特に、新規な揮発性二次冷媒冷熱出力装置及び新規な吸収液再生装置を適用する吸収冷凍機に関する。
【背景技術】
【０００２】
従来の汎用臭化リチウム／水系三重効用吸収冷凍機は、蒸発器部冷熱出力方式には循環冷水冷熱出力方式を、中、低温再生器部での吸収液再生にプール加熱再生方式を適用し、それに、冷却水を高圧吸収器、低圧吸収器にその順でまたは並行流に流し、冷熱出力のための循環冷水を高圧蒸発器、低圧蒸発器の順に流すという二段吸収二段蒸発循環冷水冷熱出力方式が採用されているという報告がある。
しかし吸収冷凍機は熱交換器の集合体であり、再生フローのほか、再生器部、吸収器部及び蒸発器部に適用する違う種類の熱交換器や違う熱交換方式や違う熱交換器の構成と配置及び二段吸収・蒸発方式等の適用の有無により違うものに分類されている。
特に、三重効用吸収再生フローの場合、再生フローや同じ再生フローでも再生器部、吸収器部及び蒸発器部における違う種類の熱交換器や違う熱交換方式や違う冷熱出力方式の適用により、性能の指標となる成績係数、最高再生温度と最高再生圧力が大きく変わってくる。
【発明の開示】
【発明が解決しようとする課題】
【０００３】
従来の三重効用吸収冷凍機の蒸発器は冷熱発生・出力のための冷媒と循環冷水の熱交換器である。すなわち、蒸発器伝熱管外壁面に散布される冷媒液の蒸発吸熱により、前記蒸発器伝熱管管内に流される循環冷水を冷却し、このように温度が下がった循環冷水を循環冷水ポンプにより、空調機に送り、そこで送風される空調用空気を冷やして冷熱出力をなされる。また、空調機からの温度が上がった循環冷水を蒸発器部に戻し、そこでの発生冷熱により冷却する。従って、従来の蒸発器を用いた発生冷熱の出力は冷媒液の蒸発吸熱による循環冷水の冷却と前記循環冷水による空気の冷却がなされるのである。そのため、従来の循環冷水冷熱出力用蒸発器は以下のような課題が存在していた。
（１）、蒸発器部における循環冷水側の局部熱伝達係数が比較的低いことにより、所要蒸発器伝熱面積あるいは熱交換器サイズが大きく、所用材料が多い。
（２）、空調機部における循環冷水側局部熱伝達係数が比較的低いことと空気側の局部熱伝達係数が低いことにより、さらなる熱交換器のコンパクト化が難しい。
（３）、蒸発器部での発生冷熱により循環冷水を冷やし、このように冷やされた循環冷水により空調用空気を冷やすという二重顕熱交換を採用されているため、蒸発器部と空調機部でのトータル不可逆的エネルギー損失が大きい。
（４）、循環冷水量が多いため、所用循環冷水ポンプ動力または電力が多い。
（５）、循環水補給による蒸発器部熱交換器伝熱管管内の汚れを定期的に清掃することが必要である。
（６）、冷熱発生・出力方式に二段吸収二段蒸発循環冷水冷熱出力方式を採用する場合、構造上吸収器と蒸発器をそれぞれ一段の増加が必要となり、装置の構造が複雑になる。
また、再生器に採用されるプール加熱方式は、以下のような課題が存在している。
（１）、汎用吸収液系の臭化リチウム溶液は比重も比較的高く、粘度も高いため、液位差が大きいほど吸収液の加熱再生に所用温度差が大きくなりまたは再生温度が高くなる。
（２）、プール内吸収液側局部熱伝達係数が小さく、その結果、所要伝熱面積が大きい。
（３）、横型伝熱管が採用されるため、管内凝縮液流れにより、そこの局部熱伝達係数が劣っている場合が多い。
【課題を解決するための手段】
【０００４】
本発明による三重効用吸収式冷熱発生・出力装置は、吸収液の再生が低温再生器、中温再生器と高温再生器によりなされ、前記高温再生器からの発生冷媒蒸気を前記中温再生器での吸収液再生に、前記中温再生器からの発生冷媒蒸気を低温再生器での吸収液再生に各々用い、冷熱出力に前記低温再生器に接続された胴体内の揮発性二次冷媒冷熱出力用蒸発器を用い、前記胴体内の凝縮器からの冷媒液を前記蒸発器に供給し、冷媒液ポンプにより前記蒸発器底部の冷媒液貯室内の冷媒液を循環させて前記蒸発器伝熱管の外壁面に散布し、前記冷媒液の蒸発吸熱による発生冷熱により、前記蒸発器伝熱管内の揮発性二次冷媒蒸気を凝縮させ、また前記蒸発器を出た揮発性二次冷媒液を冷媒レシーバーに流入させ、いったん溜めてから揮発性二次冷媒ポンプにより空調機に送り、そこで前記揮発性二次冷媒液の蒸発吸熱により送風される空調用空気を冷やして冷熱出力がなされ、前記揮発性二次冷媒液には、代替フロン系冷媒またはＨＦＥ系冷媒または炭化水素系冷媒またはアンモニアまたは二酸化炭素等を適用する構成であり、また、前記胴体内の吸収器から希吸収液を希吸収液ポンプにより送り、低温溶液熱交換器において、前記高温再生器から送られ、高温溶液熱交換器と中温溶液熱交換器を経てきた再生済吸収液と熱交換させた後、前記低温再生器に供給して再生し、前記低温再生器からのワンステップ再生後吸収液を吸収液ポンプにより送り、前記中温溶液熱交換器において前記高温再生器から送られ、前記高温溶液熱交換器を経てきた再生済吸収液と熱交換をさせた後、前記中温再生器に供給して再生し、前記中温再生器からのワンステップ再生後吸収液を吸収液ポンプにより送り、前記高温溶液熱交換器において前記高温再生器からの再生済吸収液と熱交換をさせた後、前記高温再生器に供給して再生し、前記高温再生器からの発生冷媒蒸気を前記中温再生器に供給してそこでの吸収液再生用熱源として使用し、前記中温再生器からの発生冷媒蒸気を前記低温再生器に供給してそこでの吸収液再生用熱源として使用し、前記低温再生器からの発生冷媒蒸気を前記凝縮器にフラッシュさせ、そこで冷却水により冷媒液に凝縮させ、前記中温再生器と、前記低温再生器において吸収液を冷媒蒸気により加熱して生じたそれぞれの冷媒凝縮液を要再生吸収液と熱交換させ、熱回収がなされるかあるいは直接に凝縮器にフラッシュさせ、そこで冷却水により発生冷媒蒸気を凝縮させ、前記凝縮器からの冷媒凝縮液をＵ字管を通じて前記揮発性二次冷媒冷熱出力用蒸発器に供給し、前記冷媒液ポンプにより前記揮発性二次冷媒冷熱出力用蒸発器底部の冷媒液貯室内の冷媒液を循環させて前記蒸発器伝熱管の外壁面に散布し、その蒸発吸熱による冷熱発生により前記揮発性二次冷媒冷熱出力用蒸発器伝熱管内の揮発性二次冷媒蒸気を凝縮させ、前記揮発性二次冷媒液を圧力差により前記冷媒レシーバーに流入させ、いったん溜めてから、前記揮発性二次冷媒ポンプにより前記空調機に送り、そこで送風される空調用空気を冷やして冷熱出力がなされ、循環吸収液ポンプにより前記吸収器底部の希吸収液貯室内の循環希吸収液を循環させ、前記低温溶液熱交換器からの再生済吸収液と共に前記吸収器伝熱管外壁面に散布して流下させながら、前記揮発性二次冷媒冷熱出力用蒸発器からの発生冷媒蒸気を吸収させ、その際の吸収熱を前記吸収器伝熱管内に流される冷却水により除去する構成であり、また、前記高温再生器として燃料ガスや燃料油直だき再生器を用い、前記中温再生器と低温再生器では、少なくとも一方に流下液膜式再生凝縮器を用いる構成であり、また、前記高温再生器の吸収液再生用熱源にボイラからの高温水蒸気を用い、高温再生器、中温再生器、低温再生器の少なくとも１つに流下液膜式再生凝縮器を用いる構成であり、また、前記高温再生器に燃料ガスや燃料油直だき再生器を用い、前記中温再生器と低温再生器にはプール加熱方式再生器を用いる構成であり、また、前記高温再生器の吸収液再生用熱源にボイラからの高温水蒸気を用い、前記高温再生器、中温再生器、低温再生器にはプール加熱方式再生器を用いる構成であり、また、前記凝縮器、蒸発器及び吸収器を前記胴体内に収納し、前記凝縮器を前記胴体内の上部に設置し、前記蒸発器と吸収器をそれぞれ前記凝縮器の下部両側に設置する構成であり、また、前記高温再生器、中温再生器、低温再生器の少なくとも１つに流下液膜式再生凝縮器を適用する再生フローでは、揮発性二次冷媒冷熱出力方式に代わって、二段蒸発二段吸収循環冷水冷熱出力方式を用いる構成であり、また、前記中温再生器からの冷媒凝縮液を、第２吸収液／冷媒液熱交換器において前記低温再生器から送られ、前記中温溶液熱交換器を出たワンステップ再生後吸収液と熱交換させた後、前記低温再生器からの冷媒凝縮液に合流させた合流冷媒凝縮液を、第１吸収液／冷媒液熱交換器において前記吸収器から送られ、前記低温溶液熱交換器を出た希吸収液と熱交換させてから前記凝縮器に導入し、前記第１吸収液／冷媒液熱交換器を出た希吸収液を前記低温再生器に、前記第２吸収液／冷媒液熱交換器を出たワンステップ再生後吸収液を前記中温再生器に供給して再生する構成であり、また、前記希吸収液ポンプにより送られる希吸収液を主流吸収液と支流吸収液に分流し、主流希吸収液を低温溶液熱交換器において前記高温再生器から送られ、高温溶液熱交換器と中温溶液熱交換器を経てきた再生済吸収液により予熱し、支流希吸収液を第１吸収液／冷媒液熱交換器において前記低温再生器からの冷媒凝縮液と前記中温再生器から送られ、第２吸収液／冷媒液熱交換器を経てきた冷媒凝縮液との合流冷媒凝縮液により予熱し、前記第１吸収液／冷媒液熱交換器を出た支流希吸収液を前記低温溶液熱交換器を出た主流希吸収液に合流させ、この合流希吸収液を前記低温再生器に供給して再生し、前記低温再生器からのワンステップ再生後吸収液を主流ワンステップ再生後吸収液と支流ワンステップ再生後吸収液に分流し、前記主流ワンステップ再生後吸収液が前記中温溶液熱交換器において前記高温再生器から送られて前記高温溶液熱交換器を出た再生済吸収液により予熱し、前記支流ワンステップ再生後吸収液を前記第２吸収液／冷媒液熱交換器において前記中温再生器からの冷媒凝縮液と熱交換させて熱回収がなされてから、前記中温溶液熱交換器を出た主流ワンステップ再生後吸収液に合流させた合流吸収液を前記中温再生器に供給して再生し、前記第１吸収液／冷媒液熱交換器を出た冷媒凝縮液を前記凝縮器に導入し、この様にして冷媒凝縮液から熱回収がなされる構成であり、また、前記中温再生器からの冷媒凝縮液を低温再生器からの冷媒凝縮液に合流させた合流冷媒液を第１吸収液／冷媒液熱交換器において前記吸収器から送られ、前記低温溶液熱交換器を出た希吸収液と熱交換させて熱回収がなされ、前記第１吸収液／冷媒液熱交換器を出た冷媒凝縮液を凝縮器に導入し、また前記第１吸収液／冷媒液熱交換器を出た希吸収液を前記低温再生器に供給して再生し、この様にして冷媒凝縮液から熱回収がなされる構成であり、また、前記中温再生器からの冷媒凝縮液を低温再生器からの冷媒凝縮液に合流させ、また前記吸収器からの希吸収液を主流希吸収液と支流希吸収液に分流させ、前記主流希吸収液を、低温溶液熱交換器において高温再生器から送られ、高温溶液熱交換器と中温溶液熱交換器を経てきた再生済吸収液と熱交換させ、前記支流希吸収液を、第１吸収液／冷媒液熱交換器において前記合流冷媒凝縮液と熱交換させてから前記主流希吸収液に合流させた合流希吸収液を前記低温再生器に供給して再生し、前記第１吸収液／冷媒液熱交換器を出た合流凝縮液を前記凝縮器に導入し、この様にして前記冷媒凝縮液から熱回収がなされる構成であり、また、前記低、中、高温再生器の少なくとも１つに流下液膜式再生凝縮器を用い、前記冷熱出力に二段吸収二段蒸発循環冷水冷熱出力方式を用いる構成である。
【発明の効果】
【０００５】
本発明による三重効用吸収式冷熱発生・出力装置は、以上のように構成されているため、次のような効果を得ることができる。
（１）、揮発性二次冷媒発生・冷熱出力方式は、二段吸収二段蒸発循環冷水冷熱出力方式に比べ、似ている役割を果たしている。つまり、蒸発器部の冷熱発生温度を合理的に高く設定できる。ただし蒸発器部及び空調器部の冷媒冷熱出力温度が適用温度範囲内で高くなる。また、これにより、希吸収液濃度と再生済吸収液濃度を低く設定できると共に高温再生器における最高再生温度または最高再生圧力も低くできる。
（２）、蒸発器部と空調機部において揮発性二次冷媒側の局部熱伝達係数が共に大きい利点を活かすことにより、それぞれの熱交換器のコンパクト化と省材料が図れる。
（３）、蒸発器部許容冷熱発生温度が比較的高く設定できることにより、吸収器部での吸収操作温度一定の条件下において再生済吸収液の濃度を低く設定でき、高温再生器部の最高再生温度及び最高再生圧力が低くなるため、熱源の熱エネルギー利用効率の向上が図れると共に装置の安全性が高められる。
（４）、再生済吸収液濃度を低く設定できることにより、吸収液の結晶現象による運転支障発生の可能性は低くなるかあるいは無くなる。
（５）、循環冷水冷熱出力時に比較的大きい循環冷水動力の代わりに、所要循環揮発性二次冷媒循環動力は極めて小さい。
（６）、循環冷水補給装置付き循環冷水装置の代わりにより省材料の循環揮発性二次冷媒装置を使用することができる。
（７）、蒸発器伝熱管内の定期的清掃は不要である。
【発明を実施するための最良の形態】
【０００６】
本発明は、揮発性二次冷媒冷熱出力装置及び流下液膜式吸収液再生装置を適用する吸収冷凍機からなる三重効用吸収式冷熱発生・出力装置を提供することを目的とする。
【実施例】
【０００７】
以下、図面と共に本発明による三重効用吸収式冷熱発生・出力装置の好適な実施の形態について説明する。
まず、本発明による三重効用吸収式冷熱発生・出力装置の実施の形態の説明に入る前に、本発明に適用される形態について説明する。
図１の形態は、本発明者がすでに発明した流下液膜式再生凝縮器１００の構成を示すもので、その加熱室１０２内には複数の伝熱管１０３が設けられ、吸収液分配室１０４には吸収液導入部１０５及び吸収液プール１０６が設けられている。
【０００８】
前記加熱室１０２には、その上部に高温水蒸気導入部１０７、その下部にドレンまたは冷媒凝縮液貯室１０８とドレンまたは冷媒凝縮液導出部１０９が形成され、前記加熱室１０２の下方の気液分離室１１０には、発生冷媒蒸気導出部１１１及び吸収液導出部１１２が設けられている。
【０００９】
図１の流下液膜式再生凝縮器１００は、要再生吸収液を伝熱管１０３内壁面に膜状に分布して流下させ、管外側の加熱室１０２には凝縮性の高温水蒸気や高温冷媒蒸気を加熱源として流し、前記管内流下吸収液膜を加熱して再生するものである。
図２には、本発明者がこれまでに発明した揮発性二次冷媒冷熱発生・出力装置の構成例を示す。
図示の揮発性二次冷媒冷熱発生・出力装置２００は、図示していない凝縮器からの冷媒凝縮液を蒸発器４の伝熱管外壁面に散布し、その蒸発吸熱による発生冷熱により、前記蒸発器伝熱管内側揮発性二次冷媒蒸気を凝縮させ、次にこのようになった揮発性二次冷媒凝縮液をレシーバー１３に流入させ、いったん溜めてから揮発性二次冷媒ポンプ４ｂにより空調機１５の二次冷媒配管２０４に送り、その蒸発吸熱により前記空調機１５を通る空気を冷やして冷熱出力がなされるものである。
また、冷熱出力用揮発性二次冷媒には、ＨＦＥ系冷媒や代替フロン系冷媒や炭化水素系冷媒やアンモニア、二酸化炭素等を適用できる。
【００１０】
図３は、図２の揮発性二次冷媒冷熱出力用蒸発器４の具体的構成例を示す。
図示の蒸発器伝熱管はチューブの間に前記チューブ外径より薄いプレート部が設けられるプレートチューブ伝熱管２０５である。
図３中の管内流体初期分配器２０６はその中に導入される揮発性二次冷媒流体（蒸気）を、複数のプレートチューブのそれぞれの複数チューブ管内に分配するものである。
図３中の管内流体サブ分配器２０７は上流側プレートチューブの複数管内流路からの蒸気と液体の二相流体をその下流側プレートチューブの複数並列流路に分配するものである。
【００１１】
図３中の管外液サブ分配装置２０８は図示していない冷媒液分配装置から流下する冷媒液またはプレートチューブ管外壁面に沿って流下する冷媒液を受けてから、その下流側プレートチューブの外壁面に散布するものである。
図３中の出口ヘッダー２０９は、複数のプレートチューブからの管内流体を合流させて導出するものである。
従って、図３に示した前記蒸発器４は主に前述のプレートチューブ伝熱管２０５、管内流体初期分配器２０６、管内流体サブ分配装置２０７、管外液サブ分配装置２０８と出口ヘッダー２０９により構成されるプレートチューブ型コンパクト熱交換器である。
図４は、前記揮発性二次冷媒冷熱出力装置２００に適用する空調機１５の構成例を示す。
図示の空調機１５は、プレートフィンチューブ２１０の伝熱管２１１内に揮発性二次冷媒液を流し、管外プレートフィン２１２間流路に空調用空気を流し、揮発性二次冷媒の蒸発吸熱による発生冷熱により空調用空気の冷却がなされる３層パネル型コンパクト熱交換器である。
【００１２】
本発明は、前述した本発明者の従来の発明である揮発性二次冷媒冷熱発生・出力装置２００を適用する三重効用吸収式冷熱発生・出力装置であり、その実施形態について以下のように詳細に説明する。
図５は本発明の三重効用吸収式冷熱発生・出力装置の第１形態を示す。ここでは、高温再生器３に直だき再生器を適用し、中温再生器２、低温再生器１に前述の図１の流下液膜式再生凝縮器１００を適用し、また前述の揮発性二次冷媒冷熱出力方式と揮発性二次冷媒冷熱出力用蒸発器４を採用している。
【００１３】
図示のように、この例では、吸収液の再生を相互接続された低温再生器１、中温再生器２と高温再生器３によりその順でなされる。つまり、吸収器５から希吸収液５ａを希吸収液ポンプ５ｂにより送り、低温溶液熱交換器７において前記高温再生器３から送られ、高温溶液熱交換器９と中温溶液熱交換器８を経てきた再生済吸収液１０と熱交換をさせた後、前記低温再生器１に供給して再生する。また、前記低温再生器１からのワンステップ再生後吸収液１ａを吸収液ポンプ１ｂにより送り、中温溶液熱交換器８において前記高温再生器３から送られ、高温溶液熱交換器９を経てきた再生済吸収液１０と熱交換させた後、前記中温再生器２に供給して再生する。また、前記中温再生器２からのワンステップ再生後吸収液２ａを吸収液ポンプ２ｂにより送り、高温溶液熱交換器９において前記高温再生器３からの再生済吸収液１０と熱交換をさせた後、前記高温再生器３に供給して再生する。
【００１４】
また、前記高温再生器３からの発生冷媒蒸気３ｃを前記中温再生器２に供給してそこでの吸収液再生用熱源として使用し、前記中温再生器２からの発生冷媒蒸気２ｃを前記低温再生器１に供給してそこでの吸収液再生用熱源として使用する。
また、前記中温再生器２と前記低温再生器１において冷媒蒸気により吸収液を加熱して生じたそれぞれの冷媒凝縮液１ｄ、２ｄを凝縮器１１にフラッシュさせ、そこで冷却水６により前記フラッシュにより生じた発生冷媒蒸気と低温再生器１からの発生冷媒蒸気１ｃを共に冷媒液に凝縮させる。
【００１５】
また、前記凝縮器１１からの冷媒凝縮液１１ａをＵ字管１１ｃを介して前記凝縮器４に供給し、冷媒液ポンプ４ａにより蒸発器４底部の冷媒液貯室４ｄ内の冷媒液を循環させて前記蒸発器４伝熱管の外壁面に散布し、膜状に流下させ、前記流下冷媒液膜の蒸発吸熱による冷熱発生により、前記蒸発器４伝熱管内の揮発性二次冷媒蒸気１２を凝縮させる。ただし、前記両流路からの冷媒凝縮液１ｄ、２ｄを合流するため、より低圧側の低温再生器１からの冷媒凝縮液１ｄの流路に逆止弁１ｅを設置する。
【００１６】
また、前記蒸発器４を出た揮発性二次冷媒液１２ａを冷媒レシーバー１３に流入させていったん溜めてから揮発性二次冷媒液ポンプ４ｂにより空調機１５に送って冷熱出力がなされる。また、冷熱出力後の揮発性二次冷媒蒸気１２は圧力差により蒸発器４に戻される。
また、前記蒸発器４の冷熱発生により生じる冷媒蒸気は吸収器５内に流れる。その際、循環吸収液ポンプ５ｄにより、前記吸収器５底部の希吸収液貯室５ｅ内の循環希吸収液５ｊを循環させ、低温溶液熱交換器７からの再生済吸収液１０と合流させた合流吸収液を前記吸収器５伝熱管外壁面に散布し、これにより前記蒸発器４からの冷媒蒸気を吸収する。また、その際の吸収熱を冷却水６により除去する。
【００１７】
図６には本発明の三重効用吸収式冷熱発生・出力装置の第２形態を示す。尚、図５と異なるのは、中温再生器２と低温再生器１からの冷媒凝縮液１ｄ、２ｄから、各吸収液／冷媒液熱交換器１ｆ、２ｆを用いて熱回収がなされる点で違う。尚、図５と同一部分には同一符号を付している。つまり、図示のように、吸収器５からの希吸収液５ａを低温溶液熱交換器７において高温再生器１から送られ、高温溶液熱交換器９と中温溶液熱交換器８を経てきた再生済吸収液１０と熱交換させて予熱した後、第１吸収液／冷媒液熱交換器１ｆにより前記低温再生器１からの冷媒凝縮液１ｄと、中温再生器２から送られ、吸収液／冷媒液熱交換器２ｆを経てきた冷媒凝縮液２ｄとの合流冷媒凝縮液と熱交換させて再予熱してから、前記低温再生器１に供給して再生する。
【００１８】
また、前記低温再生器１からのワンステップ再生後吸収液１ａを中温溶液熱交換器８において前記高温再生器３から送られ、前記高温溶液熱交換器９を経てきた再生済吸収液１０と熱交換をさせてから、吸収液／冷媒液熱交換器２ｆにおいて前記中温再生器２からの冷媒凝縮液２ｄにより再予熱してから、前記中温再生器２に供給して再生する。また、前記中温再生器３を出たワンステップ再生後吸収液２ａを高温溶液熱交換器９において高温再生器３から送られる再生済吸収液と熱交換させ、予熱してから前記高温再生器３に供給する。
【００１９】
図７には本発明による三重効用吸収式冷熱発生・出力装置の第３形態を示す。尚、図５及び図６と同一部分には同一符号を付している。図示のように、この第３形態では中温再生器２と低温再生器１からの冷媒凝縮液１ｄ、２ｄを要再生吸収液と熱交換させ、熱回収がなされることと、高温再生器３に流下液膜式再生凝縮器１００を適用する点で、図５の第１形態と図６の第２形態と異なる。
つまり、図示のように、同様に吸収液の再生を相互接続された低温再生器１、中温再生器２と高温再生器３の順で行っている。ただし、希吸収液ポンプ５ｂにより吸収器５から希吸収液５ａを送って２つの流れの支流希吸収液５ｆと主流希吸収液５ｇに分流させる。この主流希吸収液５ｇを低温溶液熱交換器７において前記高温再生器３から送られ、高温溶液熱交換器９と中温溶液熱交換器８を経てきた再生済吸収液１０と熱交換をさせて予熱する。また支流希吸収液５ｆを第１吸収液／冷媒液熱交換器１ｆにおいて低温再生器１からの冷媒凝縮液１ｄと前記中温再生器２から送られ、第２吸収液／冷媒液熱交換器２ｆを出た冷媒凝縮液２ｄとの合流冷媒凝縮液と熱交換をさせ予熱してから前記主流希吸収液５ｇに合流させ、このような合流吸収液を前記低温再生器１に供給して再生する。
【００２０】
また、前記低温再生器１を出たワンステップ再生後吸収液１ａを吸収液ポンプ１ｂにより送り、同様に２つの流れの支流ワンステップ再生後吸収液８ｆと、主流ワンステップ再生後吸収液８ｇに分流させる。主流の吸収液８ｇは中温溶液熱交換器８において前記高温溶液熱交換器９を出た再生済吸収液１０と熱交換させて予熱する。また前記支流の吸収液８ｆは第２吸収液／冷媒液熱交換器２ｆにおいて前記中温再生器２からの冷媒凝縮液２ｄと熱交換させ予熱してから前記主流ワンステップ再生後吸収液８ｇに合流させ、このような合流吸収液を中温再生器２に供給して再生する。
また中温再生器２からのワンステップ再生後吸収液２ａを吸収液ポンプ２ｂにより送り、高温溶液熱交換器９において前記高温再生器３からの再生済吸収液１０と熱交換させ予熱してから前記高温再生器３に供給して再生する。
【００２１】
また第１吸収液／冷媒液熱交換器１ｆを出た冷媒凝縮液を凝縮器１１にフラッシュしてその際の発生冷媒蒸気と前記低温再生器１からの発生冷媒蒸気１ｃを共に冷却水６により凝縮させる。
また高温再生器３の流下液膜式再生凝縮器１００にはボイラからの高温水蒸気１６を吸収液の再生用熱源として用いる。同様に高温再生器３からの発生冷媒蒸気を前記中温再生器２の吸収液再生に適用し、前記中温再生器２からの発生冷媒蒸気を前記低温再生器１の吸収液再生に適用する。
【００２２】
また蒸発器部に適用する揮発性二次冷媒冷熱発生・出力方式については、図５について説明したそのものとは同様なため、説明を省略する。
図８、図９は本発明の三重効用吸収式冷熱発生装置において中温再生器２からの冷媒凝縮液２ｄを低温再生器１からの冷媒凝縮液１ｄに合流させ、この合流冷媒凝縮液で前記低温再生器１に供給する希吸収液を予熱する構成例である。
【００２３】
図８の第４形態では、吸収器５からの希吸収液を低温溶液熱交換器７において高温再生器３から送られ、高温溶液熱交換器９と中温溶液熱交換器８を経てきた再生済吸収液１０により予熱した後、第１吸収液／冷媒液熱交換器１ｆにおいて低温再生器１からの冷媒凝縮液１ｄと中温再生器２からの冷媒凝縮液２ｄとの合流冷媒凝縮液により再予熱してから低温再生器１に供給して再生する。尚、図５と同一部分には同一符号を付している。
【００２４】
図９の第５形態では、吸収器４からの希吸収液を２つの流れの支流希吸収液５ｆ、主流希吸収液５ｇに分流させ、主流希吸収液５ｇを高温再生器３から送られ、高温溶液熱交換器９と中温溶液熱交換器８を経てきた再生済吸収液１０により予熱し、支流希吸収液５ｆは前記低温再生器１からの冷媒凝縮液１ｄと中温再生器２からの冷媒凝縮液２ｄとの合流冷媒凝縮液により予熱してから前記予熱後の主流希吸収液５ｇに合流させ、次にこのような合流希吸収液を前記低温再生器１に供給して再生する。尚、図７と同一部分には同一符号を付している。
【００２５】
図１０には、図５に示した流下液膜式再生凝縮器１００適用の三重効用吸収式冷熱発生装置において二段吸収二段蒸発循環冷水冷熱出力方式を採用する第６形態を示す。ここで冷却水６を高圧吸収器５ｈと低圧吸収器５ｉに並列に流し、循環冷水を高圧蒸発器４ｇと低圧蒸発器４ｆにその順で流し、これにより、高圧蒸発器４ｇでの蒸発温度がある程度高く設定可能であると同時に、低圧蒸発器４ｆでの通常の低温冷熱出力が図れ、また高温再生器３での再生温度と、最高再生操作圧力が低下することが図れる。尚、図１０は図５と同一部分には同一符号を付して説明を省略している。
【００２６】
次に、本発明の効果について説明する。
従来の吸収冷凍機では、一般に蒸発器内冷媒蒸発温度を５℃に設定し、循環冷水の出口温度を７℃に設定し、循環冷水入口温度を１２〜１４℃に設定するのである。蒸発器内冷熱発生温度または循環冷水の出口温度を高く設定すれば、吸収冷凍機の成績係数が向上できる。例えば二重効用吸収冷凍機の場合、循環冷水温度を１℃高く設定すると、成績係数は６〜７％の増加になると報告されている。従って三重効用吸収冷凍機にとっても蒸発器部の循環冷水冷熱出力温度あるいは冷熱発生温度が重要であると考えられる。
【００２７】
本発明では図５に示した水／臭化リチウム系三重効用吸収式冷熱発生・出力装置が冷熱出力能力１００（ＵＳ）ＲＴのものであると想定してその成績係数と最高再生圧力に関するシミュレーションを行った。つまり、高温再生器３に直だき再生器を、中温再生器２と低温再生器１に流下液膜式再生凝縮器を適用とし、揮発性二次冷媒による冷熱出力方式を用い、高温再生器３からの再生済吸収液１０より熱回収がなされ、ただし、ここで、中、低温再生器部冷媒凝縮液からの熱回収をしないとする。
【００２８】
また、シミュレーションでは、冷媒水の物性をすべて水の専用状態式により推算し、吸収液の物性、例えばエンタルピー値を、文献値を高精度で相関して得られた式を用いて推算した。また、流下液膜式再生凝縮器である中、低温再生器２、１における加熱側冷媒蒸気と被加熱側吸収液膜の間の最小温度差を与え、これにより前記中、低温再生器２、１のＫＡ値（総括熱伝達係数×伝熱面積）が決められる。また、低、中、高温溶液熱交換器１、２、３のＫＡ値は与えられたものを使用した。
また、凝縮器内の冷媒蒸気凝縮温度と吸収器内の最大吸収温度が３７、３８、３９、４０、４１、４２℃であり、蒸発器部冷媒蒸発温度が５、９、１２、１５℃であるという条件を用いた。
【００２９】
図１１、１２は、前述のシミュレーションの結果を示すものである。
図１１には凝縮器１１内の凝縮温度、吸収器５内の最高吸収温度に対する高温再生器３内の再生圧力あるいは最高再生圧力の依存性を示す。図示のように、最高再生圧力は凝縮、吸収温度と蒸発温度に対する依存性が大きい。例えば、冷媒蒸発気温度が５℃の場合には、凝縮、吸収温度が３８℃以上になると最高再生圧力（絶対圧力）は０．３ＭＰａを越えている。これに対して冷媒蒸発温度が１５℃の場合には、凝縮、吸収温度が４２℃であっても、最高再生圧力は０．２ＭＰａ以下であり、凝縮、吸収温度が３７℃であると、最高再生圧力は０．１ＭＰａ程度である結果となった。
また、図１２から分かるように、成績係数ＣＯＰも冷媒凝縮温度、吸収温度と冷媒蒸発温度に対する依存性が大きい、蒸発温度が５℃である場合、成績係数の値は冷媒凝縮温度または吸収温度を変えてもすべて１．６以下となっている。これに対して蒸発温度は１５℃になると、成績係数は凝縮器、吸収器温度３７〜４２℃の条件において１．６４〜１．７９の値となった。
【００３０】
以上の説明から分かるように、蒸発器温度を合理的に高く、例えば１５℃とすれば、本発明の三重効用吸収冷凍機は最高再生圧力０．２ＭＰａ以下で作動できる上、成績係数が１．７程度あるいはこれ以上となるという良好な冷熱出力性能が得られるのである。
本発明に関しては上述した効果の外には、以下の効果もある。
冷熱出力に循環揮発性二次冷媒の潜熱を利用するため、蒸発器部と空調部の熱交換器を、揮発性二次冷媒冷熱出力時の圧損による温度変化を小さく抑えるように設計できる上、蒸発器部と空調機部において揮発性二次冷媒側の局部熱伝達係数が共に大きい利点により、それぞれの熱交換器のコンパクト化と省材料が図れる。
また、蒸発器部許容冷熱発生温度が高く設定できるため、吸収器部吸収操作温度一定の条件下において再生済吸収液の濃度を低く設定でき、これにより高温再生器部の吸収液再生操作温度が低くなり、熱源の熱エネルギー利用効率の向上が図れる。
【００３１】
前述の本発明による三重効用吸収式冷熱発生・出力装置の構成をまとめると、次の通りである。すなわち、吸収液の再生が低温再生器１、中温再生器２と高温再生器３によりなされ、前記高温再生器３からの発生冷媒蒸気３ｃを前記中温再生器２での吸収液再生に、前記中温再生器２からの発生冷媒蒸気２ｃを低温再生器１での吸収液再生に各々用い、冷熱出力に前記低温再生器１に接続された胴体２０内の揮発性二次冷媒冷熱出力用蒸発器４を用い、前記胴体２０内の凝縮器１１からの冷媒液１１ａを前記蒸発器４に供給し、冷媒液ポンプ４ａにより前記蒸発器４底部の冷媒液貯室４ｄ内の冷媒液を循環させて前記蒸発器４伝熱管の外壁面に散布し、前記冷媒液の蒸発吸熱による発生冷熱により、前記蒸発器４伝熱管内の揮発性二次冷媒蒸気１２を凝縮させ、また前記蒸発器４を出た揮発性二次冷媒液１２ａを冷媒レシーバー１３に流入させ、いったん溜めてから揮発性二次冷媒ポンプ４ｂにより空調機１５に送り、そこで前記揮発性二次冷媒液１２ａの蒸発吸熱により送風される空調用空気を冷やして冷熱出力がなされ、前記揮発性二次冷媒液１２ａには、代替フロン系冷媒またはＨＦＥ系冷媒または炭化水素系冷媒またはアンモニアまたは二酸化炭素等を適用する構成であり、また、前記胴体２０内の吸収器５から希吸収液５ａを希吸収液ポンプ５ｂにより送り、低温溶液熱交換器７において、前記高温再生器３から送られ、高温溶液熱交換器９と中温溶液熱交換器８を経てきた再生済吸収液１０と熱交換させた後、前記低温再生器１に供給して再生し、前記低温再生器１からのワンステップ再生後吸収液１ａを吸収液ポンプ１ｂにより送り、前記中温溶液熱交換器８において前記高温再生器３から送られ、前記高温溶液熱交換器９を経てきた再生済吸収液１０と熱交換をさせた後、前記中温再生器２に供給して再生し、前記中温再生器２からのワンステップ再生後吸収液２ａを吸収液ポンプ２ｂにより送り、前記高温溶液熱交換器９において前記高温再生器３からの再生済吸収液１０と熱交換をさせた後、前記高温再生器３に供給して再生し、前記高温再生器３からの発生冷媒蒸気３ｃを前記中温再生器２に供給してそこでの吸収液再生用熱源として使用し、前記中温再生器２からの発生冷媒蒸気２ｃを前記低温再生器１に供給してそこでの吸収液再生用熱源として使用し、前記低温再生器１からの発生冷媒蒸気１ｃを前記凝縮器１１にフラッシュさせ、そこで冷却水６により冷媒液に凝縮させ、前記中温再生器２と、前記低温再生器１において吸収液を冷媒蒸気により加熱して生じたそれぞれの冷媒凝縮液２ｄ、１ｄを要再生吸収液と熱交換させ、熱回収がなされるかあるいは直接に凝縮器１１にフラッシュさせ、そこで冷却水６により発生冷媒蒸気を凝縮させ、前記凝縮器１１からの冷媒凝縮液１１ａをＵ字管１１ｃを通じて前記揮発性二次冷媒冷熱出力用蒸発器４に供給し、前記冷媒液ポンプ４ａにより前記揮発性二次冷媒冷熱出力用蒸発器４底部の冷媒液貯室４ｄ内の冷媒液を循環させて前記蒸発器４伝熱管の外壁面に散布し、その蒸発吸熱による冷熱発生により前記揮発性二次冷媒冷熱出力用蒸発器４伝熱管内の揮発性二次冷媒蒸気１２を凝縮させ、前記揮発性二次冷媒液１２ａを圧力差により前記冷媒レシーバー１３に流入させ、いったん溜めてから、前記揮発性二次冷媒ポンプ４ｂにより前記空調機１５に送り、そこで送風される空調用空気を冷やして冷熱出力がなされ、循環吸収液ポンプ５ｄにより前記吸収器５底部の希吸収液貯室５ｅ内の循環希吸収液５ｊを循環させ、前記低温溶液熱交換器７からの再生済吸収液１０と共に前記吸収器５伝熱管外壁面に散布して流下させながら、前記揮発性二次冷媒冷熱出力用蒸発器４からの発生冷媒蒸気を吸収させ、その際の吸収熱を前記吸収器５伝熱管内に流される冷却水６により除去する構成であり、また、前記高温再生器３として燃料ガスや燃料油直だき再生器を用い、前記中温再生器２と低温再生器１では、少なくとも一方に流下液膜式再生凝縮器１００を用いる構成であり、また、前記高温再生器３の吸収液再生用熱源にボイラからの高温水蒸気１６を用い、高温再生器３、中温再生器２、低温再生器２の少なくとも１つに流下液膜式再生凝縮器を用いる構成であり、また、前記高温再生器３に燃料ガスや燃料油直だき再生器を用い、前記中温再生器２と低温再生器１にはプール加熱方式再生器を用いる構成であり、また、前記高温再生器３の吸収液再生用熱源にボイラからの高温水蒸気１６を用い、前記高温再生器３、中温再生器２、低温再生器１にはプール加熱方式再生器を用いる構成であり、また、前記凝縮器１１、蒸発器４及び吸収器５を前記胴体２０内に収納し、前記凝縮器を前記胴体２０内の上部に設置し、前記蒸発器４と吸収器５をそれぞれ前記凝縮器１１の下部両側に設置する構成であり、また、前記高温再生器３、中温再生器２、低温再生器１の少なくとも１つに流下液膜式再生凝縮器１００を適用する再生フローでは、揮発性二次冷媒冷熱出力方式に代わって、二段蒸発二段吸収循環冷水冷熱出力方式を用いる構成であり、また、前記中温再生器２からの冷媒凝縮液２ｄを、第２吸収液／冷媒液熱交換器２ｆにおいて前記低温再生器１から送られ、前記中温溶液熱交換器８を出たワンステップ再生後吸収液１ａと熱交換させた後、前記低温再生器１からの冷媒凝縮液に合流させた合流冷媒凝縮液を、第１吸収液／冷媒液熱交換器１ｆにおいて前記吸収器５から送られ、前記低温溶液熱交換器７を出た希吸収液５ａと熱交換させてから前記凝縮器１１に導入し、前記第１吸収液／冷媒液熱交換器１ｆを出た希吸収液５ａを前記低温再生器１に、前記第２吸収液／冷媒液熱交換器２ｆを出たワンステップ再生後吸収液１ａを前記中温再生器２に供給して再生する構成であり、また、前記希吸収液ポンプ５ｂにより送られる希吸収液５ａを主流吸収液５ｇと支流吸収液５ｆに分流し、主流希吸収液５ｇを低温溶液熱交換器７において前記高温再生器３から送られ、高温溶液熱交換器９と中温溶液熱交換器８を経てきた再生済吸収液１０により予熱し、支流希吸収液５ｆを第１吸収液／冷媒液熱交換器１ｆにおいて前記低温再生器１からの冷媒凝縮液１ｄと前記中温再生器２から送られ、第２吸収液／冷媒液熱交換器２ｆを経てきた冷媒凝縮液との合流冷媒凝縮液により予熱し、前記第１吸収液／冷媒液熱交換器１ｆを出た支流希吸収液５ｆを前記低温用液熱交換器７を出た主流希吸収液５ｇに合流させ、この合流希吸収液を前記低温再生器１に供給して再生し、前記低温再生器１からのワンステップ再生後吸収液１ａを主流ワンステップ再生後吸収液８ｇと支流ワンステップ再生後吸収液８ｆに分流し、前記主流ワンステップ再生後吸収液８ｇが前記中温溶液熱交換器８において前記高温再生器３から送られて前記高温溶液熱交換器９を出た再生済吸収液１０により予熱し、前記支流ワンステップ再生後吸収液８ｆを前記第２吸収液／冷媒液熱交換器２ｆにおいて前記中温再生器２からの冷媒凝縮液２ｄと熱交換させて熱回収がなされてから、前記中温溶液熱交換器８を出た主流ワンステップ再生後吸収液８ｇに合流させた合流吸収液を前記中温再生器２に供給して再生し、前記第１吸収液／冷媒液熱交換器１ｆを出た冷媒凝縮液１１を前記凝縮器に導入し、この様にして冷媒凝縮液から熱回収がなされる構成であり、また、前記中温再生器２からの冷媒凝縮液２ｄを低温再生器１からの冷媒凝縮液１ｄに合流させた合流冷媒液を第１吸収液／冷媒液熱交換器１ｆにおいて前記吸収器５から送られ、前記低温溶液熱交換器７を出た希吸収液５ａと熱交換させて熱回収がなされ、前記第１吸収液／冷媒液熱交換器１ｆを出た冷媒凝縮液を凝縮器１１に導入し、また前記第１吸収液／冷媒液熱交換器１ｆを出た希吸収液５ａを前記低温再生器１に供給して再生し、冷媒凝縮液から熱回収がなされる構成であり、また、前記中温再生器１からの冷媒凝縮液２ｄを低温再生器１からの冷媒凝縮液１ｄに合流させ、また前記吸収器５からの希吸収液５ａを主流希吸収液５ｇと支流希吸収液５ｆに分流させ、前記主流希吸収液５ｇを、低温溶液熱交換器７において高温再生器３から送られ、高温溶液熱交換器９と中温溶液熱交換器８を経てきた再生済吸収液１０と熱交換させ、前記支流希吸収液５ｆを、第１吸収液／冷媒液熱交換器１ｆにおいて前記合流冷媒凝縮液と熱交換させてから前記主流希吸収液５ｇに合流させた合流希吸収液を前記低温再生器１に供給して再生し、前記第１吸収液／冷媒液熱交換器１ｆを出た合流凝縮液を前記凝縮器１１に導入し、この様にして前記冷媒凝縮液から熱回収がなされる構成であり、また、前記低、中、高温再生器１、２、３の少なくとも１つに流下液膜式再生凝縮器１００を用い、前記冷熱出力に二段吸収二段蒸発循環冷水冷熱出力方式を用いる構成である。
【図面の簡単な説明】
【００３２】
【図１】本発明に用いる流下液膜式再生凝縮器の構成図である。
【図２】本発明における揮発性二次冷媒冷熱出力装置の基本構成図である。
【図３】図２の揮発性二次冷媒冷熱出力用蒸発器の具体的構成図である。
【図４】図２の揮発性二次冷媒冷熱出力用コンパクト空調機を示す具体的構成図である。
【図５】本発明による揮発性二次冷媒冷熱出力方式の三重効用吸収式冷熱発生装置の第１形態の構成図である。
【図６】本発明による揮発性二次冷媒冷熱出力方式の三重効用吸収式冷熱発生装置の第２形態の構成図である。
【図７】本発明による揮発性二次冷媒冷熱出力方式の三重効用吸収式冷熱発生装置の第３形態の構成図である。
【図８】本発明による揮発性二次冷媒冷熱出力方式の三重効用吸収式冷熱発生装置の第４形態の構成図である。
【図９】本発明による揮発性二次冷媒冷熱出力方式の三重効用吸収式冷熱発生装置の第５形態の構成図である。
【図１０】図５の他の形態である第６形態を示す構成図である。
【図１１】本発明における最高再生圧力の凝縮温度、吸収温度と蒸発温度の依存性を示す特性図である。
【図１２】本発明における成績係数の凝縮温度、吸収温度と蒸発温度の依存性を示す特性図である。
【符号の説明】
【００３３】
１    低温再生器
１ａ    低温再生器からのワンステップ再生後吸収液
１ｂ    吸収液ポンプ
１ｃ    低温再生器からの発生冷媒蒸気
１ｄ、２ｄ    冷媒凝縮液
１ｅ    逆止弁
１ｆ、２ｆ    第１、２吸収液／冷媒液熱交換器
２    中温再生器
２ａ    中温再生器からのワンステップ再生後吸収液
２ｂ    吸収液ポンプ
２ｃ    中温再生器からの発生冷媒蒸気
３    高温再生器
３ｃ    高温再生器からの発生冷媒蒸気
４    揮発性二次冷媒冷熱出力用蒸発器
４ｂ    揮発性二次冷媒液ポンプ
４ｅ    循環冷媒液
４ｆ    低圧蒸発器
４ｇ    高圧蒸発器
４ｈ    循環冷水
４ｊ    循環冷媒
５    吸収器
５ａ    希吸収液
５ｂ    希吸収液ポンプ
５ｄ    循環吸収液ポンプ
５ｅ    吸収液貯室
５ｆ    支流希吸収液
５ｇ    主流希吸収液
５ｈ    高圧吸収器
５ｉ    低圧吸収器
５ｊ    循環希吸収液
６    冷却水
７    低温溶液熱交換器
８    中温溶液熱交換器
８ｆ    支流ワンステップ再生後吸収液
８ｇ    主流ワンステップ再生後吸収液
９    高温溶液熱交換器
１０    再生済吸収液
１１    凝縮器
１１ａ    冷媒凝縮液
１１ｃ    Ｕ字管
１２    揮発性二次冷媒蒸気
１２ａ    揮発性二次冷媒液
１３    冷媒レシーバー
１５    空調機
１６    高温水蒸気
１００  流下液膜式再生凝縮器
【図１】
2007298240.tif 000003
【図２】
2007298240.tif 000004
【図３】
2007298240.tif 000005
【図４】
2007298240.tif 000006
【図５】
2007298240.tif 000007
【図６】
2007298240.tif 000008
【図７】
2007298240.tif 000009
【図８】
2007298240.tif 000010
【図９】
2007298240.tif 000011
【図１０】
2007298240.tif 000012
【図１１】
2007298240.tif 000013
【図１２】
2007298240.tif 000014